(57)【要約】【課題】第一方向に走行する物品搬送車と第二方向に走行する物品搬送車との双方が迂回できながら走行レールをコンパクトに設置できる物品搬送設備の実現。【解決手段】走行レール２は、第一走行レール３１と、第二走行レール３２と、迂回用走行レール３３と、第一分岐レール３４と、第二分岐レール３６と、第一合流レール３５と、第二合流レール３７と、を備え、第一分岐レール３４は、第一走行レール３１から分岐し且つ迂回用走行レール３３に合流し、第二分岐レール３６は、第二走行レール３２から分岐し且つ迂回用走行レール３３に合流し、第一合流レール３５は、迂回用走行レール３３から分岐し且つ第一走行レール３１に合流し、第二合流レール３７は、迂回用走行レール３３から分岐し且つ第二走行レール３２に合流し、物品搬送車３が、迂回用走行レール３３を第一方向Ｘ１及び第二方向Ｘ２の双方向に走行する。【選択図】図１
2019031137.tif 000002
【特許請求の範囲】
【請求項１】
走行レールに沿って走行する物品搬送車を備えた物品搬送設備であって、
前記走行レールは、第一走行レールと、第二走行レールと、迂回用走行レールと、第一分岐レールと、第二分岐レールと、第一合流レールと、第二合流レールと、を備え、
前記第二走行レールは、前記第一走行レールに対して並行する状態で設置され、
前記第一走行レールを走行する前記物品搬送車の走行方向を第一方向とし、前記第二走行レールを走行する前記物品搬送車の走行方向を第二方向として、前記第一方向と前記第二方向とは互いに反対方向であり、
前記迂回用走行レールは、前記第一走行レールと前記第二走行レールとの間に設置され、第一分岐合流部と当該第一分岐合流部よりも前記第一方向側に位置する第二分岐合流部とを備え、
前記第一分岐レールは、前記第一走行レールの第一分岐部から分岐し且つ前記迂回用走行レールの前記第一分岐合流部に合流する状態で設置され、
前記第二分岐レールは、前記第二走行レールの第二分岐部から分岐し且つ前記迂回用走行レールの前記第二分岐合流部に合流する状態で設置され、
前記第一合流レールは、前記迂回用走行レールの前記第二分岐合流部から分岐し且つ前記第一走行レールの第一合流部に合流する状態で設置され、
前記第二合流レールは、前記迂回用走行レールの前記第一分岐合流部から分岐し且つ前記第二走行レールの第二合流部に合流する状態で設置され、
前記物品搬送車が、前記迂回用走行レールを前記第一方向及び前記第二方向の双方向に走行する物品搬送設備。
【請求項２】
前記物品搬送車の走行を制御する制御装置を更に備え、
前記制御装置は、前記迂回用走行レールを前記第二方向に走行する前記物品搬送車が存在する場合は、前記第一走行レールを走行する前記物品搬送車が前記第一分岐レールに進入することを規制し、前記迂回用走行レールを前記第一方向に走行する前記物品搬送車が存在する場合は、前記第二走行レールを走行する前記物品搬送車が前記第二分岐レールに進入することを規制する請求項１に記載の物品搬送設備。
【請求項３】
前記迂回用走行レールを走行する前記物品搬送車の走行方向を検出する方向センサを更に備え、
前記方向センサは、前記迂回用走行レールに沿って設けられ、
前記制御装置は、前記方向センサにより前記迂回用走行レールを前記第二方向に走行する前記物品搬送車が検出された場合には、前記第一走行レールの前記第一分岐部から前記第一分岐レールに進入しようとする前記物品搬送車に停止信号を送信し、前記方向センサにより前記迂回用走行レールを前記第一方向に走行する前記物品搬送車が検出された場合には、前記第二走行レールの前記第二分岐部から前記第二分岐レールに進入しようとする前記物品搬送車に停止信号を送信する請求項２に記載の物品搬送設備。
【請求項４】
前記迂回用走行レールは、左右一対のレール部を備え、
前記物品搬送車は、左右方向の中心に対して一方側に片寄った位置に被検出体を備え、
前記方向センサは、前記左右一対のレール部の一方に取り付けられて、前記迂回用走行レールを前記第一方向に走行する前記物品搬送車の前記被検出体を検出する第一センサと、前記左右一対のレール部の他方に取り付けられて、前記迂回用走行レールを前記第二方向に走行する前記物品搬送車の前記被検出体を検出する第二センサと、を備えている請求項３に記載の物品搬送設備。
【請求項５】
前記物品搬送車が、被案内体と、被検出体と、前記被案内体及び前記被検出体を一体的に左右方向に移動させて第一位置と前記第一位置より右側に位置する第二位置とに移動させる駆動部と、を備え、
前記第一分岐部は、前記被案内体の位置に応じて前記物品搬送車を前記第一走行レール又は前記第一分岐レールに案内する第一案内レールを備え、
前記第二分岐部は、前記被案内体の位置に応じて前記物品搬送車を前記第二走行レール又は前記第二分岐レールに案内する第二案内レールを備え、
前記迂回用走行レールに沿って、前記被案内体の前記第一位置と前記第二位置との一方から他方への移動を規制する迂回用案内レールが備えられ、
前記方向センサは、前記迂回用案内レールにおける左右方向の一方側に取り付けられて、前記迂回用走行レールを前記第一方向に走行する前記物品搬送車における前記左右方向の前記第一走行レール側に位置する前記被検出体を検出する第一センサと、前記迂回用案内レールにおける左右方向の他方側に取り付けられて、前記迂回用走行レールを前記第二方向に走行する前記物品搬送車における前記左右方向の前記第二走行レール側に位置する前記被検出体を検出する第二センサと、を備えている請求項３に記載の物品搬送設備。
【請求項６】
前記方向センサは、前記迂回用走行レールに沿って設けられた部分に加えて、前記第一分岐レール、前記第一合流レール、前記第二分岐レール、及び前記第二合流レールのそれぞれに沿って設けられた部分を備えている請求項３から５の何れか一項に記載の物品搬送設備。
【発明の詳細な説明】
【技術分野】
【０００１】
本発明は、走行レールに沿って走行する物品搬送車を備えた物品搬送設備に関する。
【背景技術】
【０００２】
かかる物品搬送設備の従来例が、特開２０１６−１９６３５９号公報（特許文献１）に記載されている。特許文献１の物品搬送設備は、走行レールは、第一主経路４Ａと第二主経路４Ｂと第一接続経路２１と第二接続経路２２との夫々に沿う状態で備えている。第一接続経路２１は、第一主経路から分岐し且つ第二主経路に合流する状態で設置され、第二接続経路２２は、第二主経路から分岐し且つ第一主経路に合流する状態で設置されている。そして、この物品搬送設備では、第一主経路を走行している物品搬送車は、当該物品搬送車の前方に他の物品搬送車が停止している場合に、第一接続経路、第二主経路、第二接続経路を走行して迂回することで、他の物品搬送車を追い越すことができるようになっている。尚、物品搬送車は、第一主経路及び第二主経路を同じ方向に走行する。
【先行技術文献】
【特許文献】
【０００３】
【特許文献１】特開２０１６−１９６３５９号公報
【発明の概要】
【発明が解決しようとする課題】
【０００４】
このような物品搬送設備では、第一主経路４Ａと第二主経路４Ｂと第一接続経路２１と第二接続経路２２を、物品搬送車が第一方向に走行する組と、物品搬送車が第一方向とは反対方向の第二方向に走行する組とを備えて、物品搬送車を第一方向と第二方向との双方向に走行させながら、第一方向に走行する物品搬送車と第二方向に走行する物品搬送車との双方を迂回できるようにすることが考えられる。しかし、第一主経路４Ａと第二主経路４Ｂと第一接続経路２１と第二接続経路２２を二組備えることで経路が増えるため、その経路に沿って設置する走行レールの設置スペースが大きくなるという問題がある。
【０００５】
そこで、第一方向に走行する物品搬送車と第二方向に走行する物品搬送車との双方が迂回できながら走行レールの設置スペースを小さくすることができる物品搬送設備の実現が望まれる。
【課題を解決するための手段】
【０００６】
上記に鑑みた、物品搬送設備の特徴構成は、走行レールに沿って走行する物品搬送車を備え、
前記走行レールは、第一走行レールと、第二走行レールと、迂回用走行レールと、第一分岐レールと、第二分岐レールと、第一合流レールと、第二合流レールと、を備え、前記第二走行レールは、前記第一走行レールに対して並行する状態で設置され、前記第一走行レールを走行する前記物品搬送車の走行方向を第一方向とし、前記第二走行レールを走行する前記物品搬送車の走行方向を第二方向として、前記第一方向と前記第二方向とは互いに反対方向であり、前記迂回用走行レールは、前記第一走行レールと前記第二走行レールとの間に設置され、第一分岐合流部と当該第一分岐合流部よりも前記第一方向側に位置する第二分岐合流部とを備え、前記第一分岐レールは、前記第一走行レールの第一分岐部から分岐し且つ前記迂回用走行レールの前記第一分岐合流部に合流する状態で設置され、前記第二分岐レールは、前記第二走行レールの第二分岐部から分岐し且つ前記迂回用走行レールの前記第二分岐合流部に合流する状態で設置され、前記第一合流レールは、前記迂回用走行レールの前記第二分岐合流部から分岐し且つ前記第一走行レールの第一合流部に合流する状態で設置され、前記第二合流レールは、前記迂回用走行レールの前記第一分岐合流部から分岐し且つ前記第二走行レールの第二合流部に合流する状態で設置され、前記物品搬送車が、前記迂回用走行レールを前記第一方向及び前記第二方向の双方向に走行する点にある。
【０００７】
これらの特徴構成によれば、第一走行レールを走行する物品搬送車は、第一分岐部と第一合流部との間に他の物品搬送車が存在する場合は、第一分岐レール、迂回用走行レール、第一合流レールの順に走行することで、第一分岐部と第一合流部との間に存在している他の物品搬送車を追い越すことができる。また、第二走行レールを走行する物品搬送車は、第二走行レールの第二分岐部と第二合流部との間に他の物品搬送車が存在する場合は、第二分岐レール、迂回用走行レール、第二合流レールの順に走行することで、第二分岐部と第二合流部との間に存在している他の物品搬送車を追い越すことができる。
このように物品搬送車を走行させることで、物品搬送車は迂回用走行レールを第一方向及び第二方向の双方向に走行し、第一走行レールを第一方向に走行する物品搬送車の迂回路として用いることができるとともに、第二走行レールを第二方向に走行する物品搬送車の迂回路として用いることができる。
そして、このように迂回用走行レールを、第一走行レールを第一方向に走行する物品搬送車と第二走行レールを第二方向に走行する物品搬送車とで兼用することで、第一走行レールと第二走行レールとのそれぞれに対応して各別に迂回用走行レールを備える必要がなくなるため、迂回用走行レールの数を減らすことができる。従って、第一方向に走行する物品搬送車と第二方向に走行する物品搬送車との双方が迂回できながら走行レールの設置スペースを小さくすることができる。
【図面の簡単な説明】
【０００８】
【図１】物品搬送設備の走行レールと物品搬送車とを示す平面図
【図２】物品搬送車の側面図
【図３】物品搬送車の正面図
【図４】物品搬送設備の走行レールと案内レールとを示す平面図
【図５】第一分岐部と第二合流部と第一分岐合流部
【図６】物品搬送車が第一方向に走行する場合の進入防止体を示す図
【図７】物品搬送車が第二方向に走行する場合の進入防止体を示す図
【図８】物品搬送車が迂回用走行レールを第一方向に走行する場合を示す図
【図９】物品搬送車が迂回用走行レールを第二方向に走行する場合を示す図
【図１０】物品搬送車が第一停止エリアに停止する場合を示す図
【図１１】物品搬送車が第二停止エリアに停止する場合を示す図
【図１２】制御ブロック図
【図１３】別実施形態の走行レールと案内レールとを示す図
【発明を実施するための形態】
【０００９】
１．実施形態
物品搬送設備の実施形態について図面に基づいて説明する。
図１に示すように、物品搬送設備は、走行経路１に沿って設置された走行レール２と、走行レール２に沿って走行する物品搬送車３と、を備えている。走行レール２は、左右一対のレール部２Ａを備えている。物品搬送車３は、走行レール２上を走行経路１に沿って走行して物品を搬送する。尚、本実施形態では、半導体基板を収容するＦＯＵＰ（Front Opening Unified Pod）を物品としており、物品搬送車３は、天井から吊り下げ支持された走行レール２上を走行経路１に沿って走行してＦＯＵＰを搬送する。
【００１０】
〔物品搬送車〕
次に、物品搬送車３について説明する。
尚、物品搬送車３を説明するにあたり、物品搬送車３の前後方向を走行方向と称し、物品搬送車３の横幅方向（左右方向）を車体横幅方向と称して説明する。また、物品搬送車３の後方から前方を見た状態で、左右方向を特定して説明する。
【００１１】
図２及び図３に示すように、物品搬送車３は、走行レール２上をその走行レール２に沿って走行する走行部１１と、左右一対の走行レール２の下方に位置して物品を保持する本体部１２と、左右一対のレール部２Ａの間に位置して走行部１１と本体部１２とを連結する連結部１３と、を備えている。本体部１２には、物品を吊り下げ状態で支持する支持部１４と、支持部１４及びこの支持部１４に支持された物品の走行方向の両側及び上方を覆うカバー体１５と、が備えられている。
【００１２】
図２に示すように、走行部１１は、第一走行部１１Ａと第二走行部１１Ｂとを走行方向に並ぶ状態で備えている。第一走行部１１Ａ及び第二走行部１１Ｂの夫々は、連結部１３と上下方向Ｚに沿う縦軸心周りに一体回転するように連結部１３に連結されている。そして、前後一対の連結部１３の夫々は、上下方向Ｚに沿う縦軸心周りに回転自在に本体部１２に連結されており、連結部１３が本体部１２に対して縦軸心周りに回転することで、第一走行部１１Ａ及び第二走行部１１Ｂが本体部１２に対して縦軸心周りに回転する。図３に示すように、前後一対の連結部１３は、左右一対のレール部２Ａの間に位置している。
【００１３】
図２に示すように、第一走行部１１Ａには、第一モータ１６と、第一モータ１６により回転駆動される左右一対の走行輪１７と、が備えられている。この左右一対の走行輪１７の夫々は、左右一対のレール部２Ａの夫々の上面を走行するように、第一走行部１１Ａに備えられている。
また、第一走行部１１Ａには、上下方向Ｚに沿う縦軸心周りで回転自在な左右一対の案内輪１８が装備されている。この左右一対の案内輪１８は、左右一対のレール部２Ａの間に位置して左右一対のレール部２Ａにおける内側面を転動するように、第一走行部１１Ａに装備されている。左右一対の案内輪１８は、走行方向に並ぶ状態で第一走行部１１Ａに２組装備されている。
第二走行部１１Ｂには、第一走行部１１Ａと同様に、１つの第一モータ１６と、１組の左右一対の走行輪１７と、２組の左右一対の案内輪１８と、を備えている。
【００１４】
物品搬送車３は、第一走行部１１Ａの案内輪１８及び第二走行部１１Ｂの案内輪１８が一対の走行レール２により案内されることによって、経路幅方向Ｙでの位置が規制されながら、第一走行部１１Ａの走行輪１７及び第二走行部１１Ｂの走行輪１７が回転駆動されることで、走行経路１に沿って走行する。
また、物品搬送車３は、本体部１２に対して第一走行部１１Ａ及び第二走行部１１Ｂが本体部１２に対して縦軸心周りに回転することで、走行経路１が円弧状であっても走行経路１に沿って走行できるようになっている。
【００１５】
図２に示すように、第一走行部１１Ａには、上下方向Ｚに沿う縦軸心周りに回転する前後一対の案内補助輪１９と、前後一対の案内補助輪１９を一体的に車体横幅方向に移動させる駆動部である第二モータ２０と、が備えられている。前後一対の案内補助輪１９と第２モータ４０とは、走行輪１７よりも上方に位置するように第一走行部１１Ａに備えられている。
第二走行部１１Ｂには、第一走行部１１Ａと同様に、前後一対の案内補助輪１９と１つの第二モータ２０とが備えられている。
【００１６】
そして、図４に示すように、案内補助輪１９を案内する案内レール２１が設けられている。この案内レール２１は、図３に示すように、走行レール２よりも上方で且つ当該走行レール２上を転動する走行輪１７よりも上方に、上下方向Ｚに見て左右一対の走行レール２の中央部に位置するように設置されている。
図３に示すように、第一走行部１１Ａは、第二モータ２０の駆動により、前後一対の案内補助輪１９の位置を、右案内位置（第一位置に相当、図３において実線で示す位置）と左案内位置（第二位置に相当、図３において仮想線で示す位置）とに移動させるように構成されている。右案内位置は、前後一対の案内補助輪１９が第一走行部１１Ａの車体横幅方向の中央より右側に位置して案内レール２１に対して右側から当接する位置である。左案内位置は、前後一対の案内補助輪１９が第一走行部１１Ａの車体横幅方向の中央より左側に位置して案内レール２１に対して左側から当接する位置である。
尚、案内補助輪１９が、被案内体に相当し、第二モータ２０が、案内補助輪１９を左右方向に移動させて第一位置と第二位置とに移動させる駆動部に相当する。
【００１７】
第一走行部１１Ａに備えられている前後一対の案内補助輪１９と、第二走行部１１Ｂに備えられている前後一対の案内補助輪１９と、は同期した状態で同じ案内位置に移動する。
また、左右一対の案内補助輪１９は、右案内位置よりも右側への移動や左案内位置よりも左側への移動が図外の規制部にて規制されている。そのため、例えば、前後一対の案内補助輪１９が右案内位置に位置する状態で案内レール２１により右側に押された場合でも、規制部の規制により、前後一致の案内補助輪１９は右案内位置に維持される。しかし、前後一対の案内補助輪１９が右案内位置に位置する状態で左側に押された場合は、左右一対の案内補助輪１９は左案内位置に向けて移動する。
【００１８】
図３に示すように、物品搬送車３は、車体幅方向の中心に対して一方側に片寄った位置に被検出体２３を備えている。本実施形態では、被検出体２３は、カバー体１５の上面における、車体幅方向の中心に対して右側に片寄った位置に設置されている。このように設置された被検出体２３は、左右一対のレール部２Ａのうちの右側のレール部２Ａの真下に位置している。また、本実施形態では、被検出体２３として、マグネットが用いられている。
【００１９】
〔走行レール〕
図１に示すように、走行レール２は、第一走行レール３１と、第二走行レール３２と、迂回用走行レール３３と、第一分岐レール３４と、第一合流レール３５と、第二分岐レール３６と、第二合流レール３７と、を備えている。尚、走行経路１を説明するにあたり、走行経路１の迂回用走行レール３３に沿う方向を経路長手方向Ｘとし、その経路長手方向Ｘに対して上下方向Ｚ視で直交する方向を経路幅方向Ｙと称して説明する。
第一走行レール３１は、走行経路１の第一走行経路４１に沿って設置されている。第二走行レール３２は、走行経路１の第二走行経路４２に沿って設置されている。迂回用走行レール３３は、走行経路１の迂回用経路４３に沿って設置されている。第一分岐レール３４は、走行経路１の第一分岐経路４４に沿って設置されている。第一合流レール３５は、走行経路１の第一合流経路４５に沿って設置されている。第二分岐レール３６は、走行経路１の第二分岐経路４６に沿って設置されている。第二合流レール３７は、走行経路１の第二合流経路４７に沿って設置されている。
【００２０】
第一走行レール３１は、第二走行レール３２に対して並行する状態で設置されている。また、第一走行レール３１は、第二走行レール３２に対して経路幅方向第一側Ｙ１に設置されている。迂回用走行レール３３は、上下方向視で第一走行レール３１と第二走行レール３２との間に設置されている。つまり、迂回用走行レール３３に対して経路幅方向第一側Ｙ１に第一走行レール３１が設置されており、迂回用走行レール３３に対して経路幅方向第二側Ｙ２に第二走行レール３２が設置されている。第一走行レール３１と第二走行レール３２と迂回用走行レール３３とは、互いに平行状に設置されている。
【００２１】
第一走行レール３１を走行する物品搬送車３の走行方向を第一方向Ｘ１とし、第二走行レール３２を走行する物品搬送車３の走行方向を第二方向Ｘ２として、第一方向Ｘ１と第二方向Ｘ２とは互いに反対方向である。つまり、第一走行レール３１を走行する物品搬送車３と第二走行レール３２を走行する物品搬送車３とでは、走行方向が反対方向となり、物品搬送車３は、第一走行レール３１と第二走行レール３２とのうち自車から見て右側に位置する走行レール２を走行する。
第一走行レール３１は、第一分岐部５１と、当該第一分岐部５１よりも第一方向Ｘ１側に位置する第一合流部５２と、を備えている。第二走行レール３２は、第二分岐部５３と、当該第二分岐部５３よりも第二方向Ｘ２側に位置する第二合流部５４と、を備えている。第一分岐部５１と第二合流部５４とは、経路長手方向Ｘにおいて同じ位置に備えられており、第二分岐部５３と第一合流部５２とは、経路長手方向Ｘにおいて同じ位置に備えられている。
【００２２】
迂回用走行レール３３は、第一分岐合流部５５と当該第一分岐合流部５５よりも第一方向Ｘ１側に位置する第二分岐合流部５６とを備えている。第一分岐合流部５５は、第一分岐部５１や第二合流部５４よりも第一方向Ｘ１側に位置し、第二分岐合流部５６は、第二分岐部５３や第一合流部５２よりも第二方向Ｘ２側に位置している。
【００２３】
第一分岐レール３４は、第一走行レール３１の第一分岐部５１から分岐し且つ迂回用走行レール３３の第一分岐合流部５５に合流する状態で設置されている。
第一合流レール３５は、迂回用走行レール３３の第二分岐合流部５６から分岐し且つ第一走行レール３１の第一合流部５２に合流する状態で設置されている。
第二分岐レール３６は、第二走行レール３２の第二分岐部５３から分岐し且つ迂回用走行レール３３の第二分岐合流部５６に合流する状態で設置されている。
第二合流レール３７は、迂回用走行レール３３の第一分岐合流部５５から分岐し且つ第二走行レール３２の第二合流部５４に合流する状態で設置されている。
【００２４】
第一走行レール３１に沿って第一方向Ｘ１に走行する物品搬送車３は、第一分岐部５１を直進走行又は分岐走行する。第一分岐部５１を直進した物品搬送車３は、そのまま第一走行レール３１に沿って走行する。第一分岐部５１を第一分岐レール３４に走行した物品搬送車３は、第一分岐レール３４、迂回用走行レール３３、第一合流レール３５の順に走行した後、第一合流部５２において第一走行レール３１に乗り移り、その後は、第一走行レール３１に沿って走行する。このように物品搬送車３が迂回用走行レール３３を走行する場合は、物品搬送車３は迂回用走行レール３３を第一方向Ｘ１に走行する。また、このように物品搬送車３が第一分岐レール３４及び第一合流レール３５を走行する場合も、物品搬送車３が第一方向Ｘ１に走行するとしている。
第二走行レール３２に沿って第二方向Ｘ２に走行する物品搬送車３は、第二分岐部５３を直進走行又は分岐走行する。第二分岐部５３を直進した物品搬送車３は、そのまま第二走行レール３２に沿って走行する。第二分岐部５３を第二分岐レール３６に走行した物品搬送車３は、第二分岐レール３６、迂回用走行レール３３、第二合流レール３７の順に走行した後、第二合流部５４において第二走行レール３２に乗り移り、その後は、第二走行レール３２に沿って走行する。このように物品搬送車３が迂回用走行レール３３を走行する場合は、物品搬送車３は迂回用走行レール３３を第二方向Ｘ２に走行する。また、このように物品搬送車３が第二分岐レール３６及び第二合流レール３７を走行する場合も、物品搬送車３が第二方向Ｘ２に走行するとしている。
つまり、物品搬送車３は、迂回用走行レール３３を第一方向Ｘ１及び第二方向Ｘ２の双方向に走行する。
【００２５】
〔案内レール〕
図４に示すように、案内レール２１は、第一分岐部５１、第一合流部５２、第二分岐部５３、第二合流部５４、第一分岐合流部５５、及び第二分岐合流部５６のそれぞれに対応して設置されている。このように、案内レール２１は、走行経路１における２つの経路が接続されている部分に設置されている。
案内レール２１として、第一分岐部５１に対応して設置された第一分岐案内レール７１、第一合流部５２に対応して設置された第一合流案内レール７２、第二分岐部５３に対応して設置された第二分岐案内レール７３、第二合流部５４に対応して設置された第二合流案内レール７４、第一分岐合流部５５に対応して設置された第一分岐合流案内レール７１、及び第二分岐合流部５６に対応して設置された第二分岐合流案内レール７６が設置されている。
【００２６】
第一分岐案内レール７１は、被案内体の位置に応じて物品搬送車３を第一走行レール３１又は第一分岐レール３４に案内する。説明を加えると、第一分岐案内レール７１は、第一走行経路４１に沿って設置された案内レール２１と、第一分岐経路４４に沿って設置された案内レール２１と、で構成されており、上下方向Ｚ視でＹ字状に配置されている。そして、案内補助輪１９が右案内位置に位置する状態で物品搬送車３が第一分岐部５１に進入することで、物品搬送車３は、第一走行経路４１に沿って設置された案内レール２１によって第一走行レール３１に沿って走行するように案内される。また、案内補助輪１９が左案内位置に位置する状態で物品搬送車３が第一分岐部５１に進入することで、物品搬送車３は、第一分岐経路４４に沿って設置された案内レール２１によって第一分岐レール３４に沿って走行するように案内される。
【００２７】
第一分岐経路４４、第一合流経路４５、第二分岐経路４６、及び第二合流経路４７に沿って設置されている案内レール２１は、長手方向の途中において、案内補助輪１９の位置を切り替える切り換え部５９が備えられている。この切り換え部５９は、図５に示すように、第一分岐経路４４に沿って設置された案内レール２１の切り換え部５９であれば、案内補助輪１９に対して左側から接触して案内補助輪１９の位置を左案内位置から右案内位置に移動させる。
【００２８】
第一分岐合流案内レール７１の第一方向Ｘ１側の端部には、迂回用走行レール３３を第二方向Ｘ２に走行する物品搬送車３が、案内補助輪１９が左案内位置に位置する状態で第一分岐合流案内レール７１の経路幅方向第一側Ｙ１に進入することを防止する進入防止体６０が備えられている。この進入防止体６０は、その第二方向Ｘ２側の端部が第一分岐合流案内レール７１の第一方向Ｘ１側の端部に上下方向Ｚに沿う軸心周りに揺動自在に連結されている。また、進入防止体６０は、図外の付勢部材の付勢力により経路幅方向第一側Ｙ１に揺動するように付勢されているとともに、図外の規制部材により第一方向Ｘ１側ほど経路幅方向第一側Ｙ１に傾く姿勢（図６の仮想線や図７に示す姿勢）から更に経路幅方向第一側Ｙ１に揺動することが規制されている。
図６に示すように、第一分岐合流部５５を第一方向Ｘ１に走行する物品搬送車３は、案内補助輪１９によって進入防止体６０を押して第一分岐合流部を退出する。そして、図７に示すように、第一分岐合流部５５に進入する物品搬送車３の案内補助輪１９が左案内位置にある場合は、進入防止体６０によって案内補助輪１９を左案内位置から右案内位置に案内するようになっている。
尚、第二分岐合流案内レール７６の第二方向Ｘ２側の端部にも同様に、進入防止体６０が備えられている。
【００２９】
〔方向センサ〕
図３及び図４に示すように、物品搬送設備には、迂回用走行レール３３を走行する物品搬送車３の走行方向を検出する方向センサ６６が備えられている。方向センサ６６は、迂回用走行レール３３に沿って設置されている。方向センサ６６は、左右一対のレール部２Ａにおける第一方向Ｘ１に対して右側（第二方向Ｘ２に対して左側）に位置するレール部２Ａである第一のレール部２Ａに取り付けられた第一センサ６６Ａと、左右一対のレール部２Ａにおける第一方向Ｘ１に対して左側（第二方向Ｘ２に対して右側）に位置するレール部２Ａである第二のレール部２Ａに取り付けられた第二センサ６６Ｂと、を備えている。
【００３０】
第一センサ６６Ａは、第一のレール部２Ａの下面に取り付けられており、迂回用走行レール３３を物品搬送車３が第一方向Ｘ１に走行する場合に、物品搬送車３の被検出体２３が第一センサ６６Ａの真下を通るため、第一センサ６６Ａにより物品搬送車３の被検出体２３を検出することができる。このように、第一センサ６６Ａは、左右一対のレール部２Ａの一方（第一のレール部２Ａ）に取り付けられて、迂回用走行レール３３を前記第一方向に走行する物品搬送車３の被検出体２３を検出する。
【００３１】
第二センサ６６Ｂは、第二のレール部２Ａの下面に取り付けられており、迂回用走行レール３３を物品搬送車３が第二方向Ｘ２に走行する場合に、物品搬送車３の被検出体２３が第二センサ６６Ｂの真下を通るため、第二センサ６６Ｂにより物品搬送車３の被検出体２３を検出することができる。このように、第二センサ６６Ｂは、左右一対のレール部２Ａの他方に取り付けられて、迂回用走行レール３３を第二方向Ｘ２に走行する物品搬送車３の被検出体２３を検出する。
【００３２】
更に本実施形態では、方向センサ６６は、迂回用走行レール３３に沿って設けられた部分に加えて、第一分岐レール３４、第一合流レール３５、第二分岐レール３６、第二合流レール３７のそれぞれに沿って設けられた部分を備えている。
第一分岐レール３４や第一合流レール３５に沿って設けられた部分は、第一センサ６６Ａと第二センサ６６Ｂとのうちの第一センサ６６Ａのみが備えられている。第二分岐レール３６や第二合流レール３７に沿って設けられた部分は、第一センサ６６Ａと第二センサ６６Ｂとのうちの第二センサ６６Ｂのみが備えられている。
【００３３】
〔制御構成〕
図１２に示すように、物品搬送車３には、検出装置６１と、送受信装置６２と、受信装置６３と、第三制御部Ｈ３と、が備えられている。
検出装置６１は、走行経路１に沿って設置された表示体６５（図４等参照）を検出する。表示体６５には、表示体６５が設置されている位置を示すアドレス情報が示されており、検出装置６１は、表示体６５を検出するとともにその表示体６５に示されているアドレス情報を読み取るように構成されている。表示体６５は、走行経路１に沿って複数設置されており、第一分岐部５１及び第二分岐部５３のそれぞれの上流側と、第一合流部５２及び第二合流部５４のそれぞれの下流側とに設置されている。
送受信装置６２は、後述の第一制御部Ｈ１の送受信部６４から送信された情報を受信するとともに、検出装置６１にて読み取ったアドレス情報を第一制御部Ｈ１の送受信部６４に送信する。受信装置６３は、後述の第二制御部Ｈ２からの情報を受信する。
第三制御部Ｈ３は、送受信装置６２にて受信した情報（第一制御部Ｈ１から受信した情報）と、受信装置６３にて受信した情報（第二制御部Ｈ２から受信した情報）と、に基づいて、物品搬送車３を制御する。
【００３４】
図４に示すように、第一分岐部５１及び第二分岐部５３のそれぞれの上流側には、物品搬送車３の受信装置６３に向けて情報を送信する通信装置６７が備えられている。通信装置６７は、第一分岐部５１に対して第二方向Ｘ２側と、第二分岐部５３に対して第一方向Ｘ１側と、に設置されている。物品搬送車３の走行経路１における、第一分岐部５１の上流側に設置されている通信装置６７の上流端から第一合流案内レール７２の下流端までの範囲、及び、第二分岐部５３の上流側に設置されている通信装置６７の上流端から第二合流案内レール７４の下流端までの範囲を、管理領域Ｅとしている。また、第一分岐部５１の第二方向Ｘ２側の通信装置６７が設置されている範囲を第一停止エリアＥ１とし、第二分岐部５３の第一方向Ｘ１側の通信装置６７が設置されている範囲を第二停止エリアＥ２としている。
【００３５】
図１２に示すように、物品搬送設備は、物品搬送車３を制御する制御装置Ｈを備えている。
この制御装置Ｈは、第一制御部Ｈ１と、第二制御部Ｈ２と、第三制御部Ｈ３と、を備えている。第一制御部Ｈ１は、管理エリアＥを含む走行経路１全体における物品搬送車３の走行を制御する。第二制御部Ｈ２は、管理エリアＥにおける物品搬送車３の走行を制御する。第一制御部Ｈ１及び第二制御部Ｈ２は、例えば、床面上等に移動しないように固定状態で設置されている。第三制御部Ｈ３は、走行経路１を走行する物品搬送車３の夫々に設けられている。
【００３６】
第一制御部Ｈ１は、上位のコントローラ（図示せず）からの搬送指令に基づいて、物品を搬送する搬送先に対応する目標停止位置を示す情報等の搬送情報を物品搬送車３に向けて送信する。この搬送情報には、搬送先に向けて物品搬送車３を走行させる搬送経路を示す経路情報が示される。搬送経路は、目標停止位置が第一経路における第一分岐部５１と第二分岐部５３との間に目標停止位置が存在する場合や、目標停止位置が第一合流部５２の下流側に位置し且つ物品搬送車３が第一経路における第一分岐部５１と第一合流部５２との間に他の物品搬送車３が存在しないと想定される場合は、第一分岐部５１を直進するような搬送経路が設定される。また、搬送経路は、目標停止位置が第一合流部５２の下流側に位置し且つ物品搬送車３が第一経路における第一分岐部５１と第一合流部５２との間に他の物品搬送車３が存在すると想定される場合は、第一分岐部５１を第一分岐レール３４に分岐し、迂回用走行レール３３を迂回する経路が設定される。
また、第一制御部Ｈ１は、走行経路１を走行する物品搬送車３から送信される当該物品搬送車３の走行位置を示すアドレス情報（位置情報）に基づいて物品搬送車３の位置を把握する。
【００３７】
第三制御部Ｈ３は、搬送情報に基づいて、物品搬送車３を物品の搬送先に対応する目標停止位置に走行させる走行制御を実行する。走行制御では、物品搬送車３の走行中に検出装置６１にて読み取ったアドレス情報を第一制御部Ｈ１に送信する。
【００３８】
制御装置Ｈは、迂回用走行レール３３を第二方向Ｘ２に走行する物品搬送車３が存在する場合は、第一走行レール３１を走行する物品搬送車３が第一分岐レール３４に進入することを規制し、迂回用走行レール３３を第一方向Ｘ１に走行する物品搬送車３が存在する場合は、第二走行レール３２を走行する物品搬送車３が第二分岐レール３６に進入することを規制する。
詳しくは、制御装置Ｈは、方向センサ６６により迂回用走行レール３３を第二方向Ｘ２に走行する物品搬送車３が検出された場合には、第一走行レール３１の第一分岐部５１から第一分岐レール３４に進入しようとする物品搬送車３に停止信号を送信し、方向センサ６６により迂回用走行レール３３を第一方向Ｘ１に走行する物品搬送車３が検出された場合には、第二走行レール３２の第二分岐部５３から第二分岐レール３６に進入しようとする物品搬送車３に停止信号を送信する。
【００３９】
具体的には、迂回用走行レール３３を第二方向Ｘ２に走行する物品搬送車３が存在する場合は、その物品搬送車３は第二センサ６６Ｂにより検出される。また、第二分岐レール３６及び第二合流レール３７に物品搬送車３が存在する場合も、その物品搬送車３は第二センサ６６Ｂにより検出される。第二制御部Ｈ２は、第二センサ６６Ｂにより物品搬送車３が検出された場合は、第一停止エリアＥ１の通信装置６７から停止信号を送信する。
また、迂回用走行レール３３を第一方向Ｘ１に走行する物品搬送車３が存在する場合は、その物品搬送車３は第一センサ６６Ａにより検出される。また、第一分岐レール３４及び第一合流レール３５に物品搬送車３が存在する場合も、その物品搬送車３は第一センサ６６Ａにより検出される。第二制御部Ｈ２は、第一センサ６６Ａにより物品搬送車３が検出された場合は、第二停止エリアＥ２の通信装置６７から停止信号を送信する。
【００４０】
物品搬送車３の第三制御部Ｈ３は、搬送情報に基づいて走行経路１を走行する。
第三制御部Ｈ３は、第一走行レール３１を走行し、第一分岐部５１を直進する場合は、第一分岐部５１に進入する前に案内補助輪１９を右案内位置に位置するように第二モータ２０を制御する。第三制御部Ｈ３は、第一分岐部５１を直進する場合に第一停止エリアＥ１の通信装置６７から停止信号を受信しても停止せずに第一分岐部５１に進入するように走行する。
第三制御部Ｈ３は、図８に示すように、第一走行レール３１を走行し、第一分岐部５１から第一分岐レール３４に進入する場合は、第一分岐部５１に進入する前に案内補助輪１９を左案内位置に位置するように第二モータ２０を制御する。第三制御部Ｈ３は、第一分岐部５１から第一分岐レール３４に進入する場合に第一停止エリアＥ１の通信装置６７から停止信号を受信した場合は、図１０に示すように、物品搬送車３を第一停止エリアＥ１に停止させる。
【００４１】
第三制御部Ｈ３は、第二走行レール３２を走行し、第二分岐部５３を直進する場合は、第二分岐部５３に進入する前に案内補助輪１９を右案内位置に位置するように第二モータ２０を制御する。第三制御部Ｈ３は、第二分岐部５３を直進する場合に第二停止エリアＥ２の通信装置６７から停止信号を受信しても停止せずに第二分岐部５３に進入するように走行する。
第三制御部Ｈ３は、図９に示すように、第二走行レール３２を走行し、第二分岐部５３から第二分岐レール３６に進入する場合は、第二分岐部５３に進入する前に案内補助輪１９を左案内位置に位置するように第二モータ２０を制御する。第三制御部Ｈ３は、第二分岐部５３から第二分岐レール３６に進入する場合に第二停止エリアＥ２の通信装置６７から停止信号を受信した場合は、図１１に示すように、物品搬送車３を第二停止エリアＥ２に停止させる。
【００４２】
２．その他の実施形態
次に、物品搬送設備のその他の実施形態について説明する。
【００４３】
（１）上記実施形態では、方向センサ６６を、左右一対のレール部２Ａに取り付けたが、方向センサ６６の取り付け位置は適宜変更してもよい。具体的には、図１３に示すように、迂回用走行レール３３に沿って、案内補助輪１９の第一位置と第二位置との一方から他方への移動を規制する迂回用案内レール７８を備え、迂回用案内レール７８における左右方向（経路幅方向Ｙ）の一方側に第一センサ６６Ａを取り付け、迂回用案内レール７８における左右方向の他方側に第二センサ６６Ｂを取り付ける。第一センサ６６Ａは、迂回用走行レール３３を第一方向Ｘ１に走行する物品搬送車３における左右方向の第一走行レール３１側（経路幅方向第一側Ｙ１）に位置する被検出体２３を検出する。第二センサ６６Ｂは、迂回用走行レール３３における第二方向Ｘ２に走行する物品搬送車３における左右方向の第二走行レール３２側（経路幅方向第二側Ｙ２）に位置する被検出体２３を検出する。
【００４４】
（２）上記実施形態では、被検出体２３を、本体部１２の上面に設置したが、被検出体２３を、本体部１２の側面や走行部１１等の、本体部１２の上面以外の個所に設置してもよい。
被検出体２３を走行部１１に設置する場合は、第二モータ２０によって案内補助輪１９と一体的に左右方向に移動させるように走行部１１に設置してもよい。
【００４５】
（３）上記実施形態では、方向センサ６６を、迂回用走行レール３３に沿って設けられた部分に加えて、第一分岐レール３４、第一合流レール３５、第二分岐レール３６、及び第二合流レール３７のそれぞれに沿って設けられた部分を備えたが、方向センサ６６を、迂回用走行レール３３に沿ってのみ設けてもよく、迂回用走行レール３３に沿って設けられた部分に加えて、第一分岐レール３４、第一合流レール３５、第二分岐レール３６、及び第二合流レール３７のうちの一部のレールに沿って備えてもよい。
【００４６】
（４）上記実施形態では、被検出体２３をマグネットとしたが、被検出体２３を反射板、バーコード、ＩＣタグ等のマグネット以外のものでもよい。
【００４７】
（５）なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【００４８】
３．上記実施形態の概要
以下、上記において説明した物品搬送設備の概要について説明する。
【００４９】
物品搬送設備は、走行レールに沿って走行する物品搬送車を備え、
前記走行レールは、第一走行レールと、第二走行レールと、迂回用走行レールと、第一分岐レールと、第二分岐レールと、第一合流レールと、第二合流レールと、を備え、前記第二走行レールは、前記第一走行レールに対して並行する状態で設置され、前記第一走行レールを走行する前記物品搬送車の走行方向を第一方向とし、前記第二走行レールを走行する前記物品搬送車の走行方向を第二方向として、前記第一方向と前記第二方向とは互いに反対方向であり、前記迂回用走行レールは、前記第一走行レールと前記第二走行レールとの間に設置され、第一分岐合流部と当該第一分岐合流部よりも前記第一方向側に位置する第二分岐合流部とを備え、前記第一分岐レールは、前記第一走行レールの第一分岐部から分岐し且つ前記迂回用走行レールの前記第一分岐合流部に合流する状態で設置され、前記第二分岐レールは、前記第二走行レールの第二分岐部から分岐し且つ前記迂回用走行レールの前記第二分岐合流部に合流する状態で設置され、前記第一合流レールは、前記迂回用走行レールの前記第二分岐合流部から分岐し且つ前記第一走行レールの第一合流部に合流する状態で設置され、前記第二合流レールは、前記迂回用走行レールの前記第一分岐合流部から分岐し且つ前記第二走行レールの第二合流部に合流する状態で設置され、前記物品搬送車が、前記迂回用走行レールを前記第一方向及び前記第二方向の双方向に走行する。
【００５０】
この構成によれば、第一走行レールを走行する物品搬送車は、第一分岐部と第一合流部との間に他の物品搬送車が存在する場合は、第一分岐レール、迂回用走行レール、第一合流レールの順に走行することで、第一走行レールの第一分岐部と第一合流部との間に存在している他の物品搬送車を追い越すことができる。また、第二走行レールを走行する物品搬送車は、第二走行レールの第二分岐部と第二合流部との間に他の物品搬送車が存在する場合は、第二分岐レール、迂回用走行レール、第二合流レールの順に走行することで、第二分岐部と第二合流部との間に存在している他の物品搬送車を追い越すことができる。
このように物品搬送車を走行させることで、物品搬送車は迂回用走行レールを第一方向及び第二方向の双方向に走行し、第一走行レールを第一方向に走行する物品搬送車の迂回路として用いることができるとともに、第二走行レールを第二方向に走行する物品搬送車の迂回路として用いることができる。
そして、このように迂回用走行レールを、第一走行レールを第一方向に走行する物品搬送車と第二走行レールを第二方向に走行する物品搬送車とで兼用することで、第一走行レールと第二走行レールとのそれぞれに対応して各別に迂回用走行レールを備える必要がなくなるため、迂回用走行レールの数を減らすことができる。従って、第一方向に走行する物品搬送車と第二方向に走行する物品搬送車との双方が迂回できながら走行レールの設置スペースを小さくすることができる。
【００５１】
ここで、前記物品搬送車の走行を制御する制御装置を更に備え、前記制御装置は、前記迂回用走行レールを前記第二方向に走行する前記物品搬送車が存在する場合は、前記第一走行レールを走行する前記物品搬送車が前記第一分岐レールに進入することを規制し、前記迂回用走行レールを前記第一方向に走行する前記物品搬送車が存在する場合は、前記第二走行レールを走行する前記物品搬送車が前記第二分岐レールに進入することを規制すると好適である。
【００５２】
この構成によれば、迂回用走行レールを第二方向に走行する物品搬送車が存在する場合に、第一方向に走行する物品搬送車が迂回用走行レールに進入することや、迂回用走行レールを第一方向に走行する物品搬送車が存在する場合に、第二方向に走行する物品搬送車が迂回用走行レールに進入することが規制されるため、第一方向に走行する物品搬送車と第二方向に走行する物品搬送車とが迂回用走行レールにおいて対面することを未然に防止できる。
【００５３】
また、前記迂回用走行レールを走行する前記物品搬送車の走行方向を検出する方向センサを更に備え、前記方向センサは、前記迂回用走行レールに沿って設けられ、前記制御装置は、前記方向センサにより前記迂回用走行レールを前記第二方向に走行する前記物品搬送車が検出された場合には、前記第一走行レールの前記第一分岐部から前記第一分岐レールに進入しようとする前記物品搬送車に停止信号を送信し、前記方向センサにより前記迂回用走行レールを前記第一方向に走行する前記物品搬送車が検出された場合には、前記第二走行レールの前記第二分岐部から前記第二分岐レールに進入しようとする前記物品搬送車に停止信号を送信すると好適である。
【００５４】
この構成によれば、第一走行レールの第一分岐部から第一分岐レールに進入しようとする物品搬送車は、迂回用走行レールを第二方向に走行する物品搬送車が存在する場合、停止信号を受信することで停止することができる。第二走行レールの第二分岐部から第二分岐レールに進入しようとする物品搬送車は、迂回用走行レールを第一方向に走行する物品搬送車が存在する場合、停止信号を受信することで停止することができる。このように、制御装置は、方向センサの検出情報に基づいて停止信号を送信することで、物品搬送車を停止させ、物品搬送車同士が迂回用走行レールにおいて対面することを未然に防止できる。
【００５５】
また、前記迂回用走行レールは、左右一対のレール部を備え、前記物品搬送車は、左右方向の中心に対して一方側に片寄った位置に被検出体を備え、前記方向センサは、前記左右一対のレール部の一方に取り付けられて、前記迂回用走行レールを前記第一方向に走行する前記物品搬送車の前記被検出体を検出する第一センサと、前記左右一対のレール部の他方に取り付けられて、前記迂回用走行レールを前記第二方向に走行する前記物品搬送車の前記被検出体を検出する第二センサと、を備えていると好適である。
【００５６】
この構成によれば、左右一対のレール部を第一センサと第二センサとを取り付けるのに利用することで、第一センサや第二センサを取り付けるために部材を別途用意する必要がないため、第一センサや第二センサの取り付け構造の簡素化を図ることができる。また、物品搬送車が第一方向に走行する場合と物品搬送車が第二方向に走行する場合とで、被検出体の位置が左右方向に異なる。そのため、第一センサと第二センサとを左右方向にずらして設置するだけで、第一センサと第二センサとで物品搬送車の走行方向を適切に検出できる。
【００５７】
また、前記物品搬送車が、被案内体と、被検出体と、前記被案内体及び前記被検出体を一体的に左右方向に移動させて第一位置と前記第一位置より右側に位置する第二位置とに移動させる駆動部と、を備え、前記第一分岐部は、前記被案内体の位置に応じて前記物品搬送車を前記第一走行レール又は前記第一分岐レールに案内する第一案内レールを備え、前記第二分岐部は、前記被案内体の位置に応じて前記物品搬送車を前記第二走行レール又は前記第二分岐レールに案内する第二案内レールを備え、前記迂回用走行レールに沿って、前記被案内体の前記第一位置と前記第二位置との一方から他方への移動を規制する迂回用案内レールが備えられ、前記方向センサは、前記迂回用案内レールにおける左右方向の一方側に取り付けられて、前記迂回用走行レールを前記第一方向に走行する前記物品搬送車における前記左右方向の前記第一走行レール側に位置する前記被検出体を検出する第一センサと、前記迂回用案内レールにおける左右方向の他方側に取り付けられて、前記迂回用走行レールを前記第二方向に走行する前記物品搬送車における前記左右方向の前記第二走行レール側に位置する前記被検出体を検出する第二センサと、を備えていると好適である。
【００５８】
この構成によれば、駆動部により被案内体を第一位置や第二位置に移動させることで、第一分岐部や第二分岐部において物品搬送車が走行する方向を切り換えることができる。そして、被検出体を被案内体と一体的に左右方向に移動させることで、被検出体を左右方向に移動させる専用の駆動部を備える必要がないため、物品搬送車の構成の簡素化を図ることができる。また、被案内体が移動することを規制する迂回用走行レールに第一センサや第二センサを取り付けることで、第一センサや第二センサを取り付けるために部材を別途用意する必要がないため、第一センサや第二センサの取り付け構造の簡素化を図ることができる。
【００５９】
また、前記方向センサは、前記迂回用走行レールに沿って設けられた部分に加えて、前記第一分岐レール、前記第一合流レール、前記第二分岐レール、及び前記第二合流レールのそれぞれに沿って設けられた部分を備えていると好適である。
【００６０】
この構成によれば、方向センサにおける、第一分岐レールや第一合流レールや第二分岐レールや第二合流レールのそれぞれに沿って設けた部分により、これら第一分岐レール、第一合流レール、第二分岐レール、及び第二合流レールを走行する物品搬送車を検出することができる。制御装置は、この方向センサの検出情報に基づいて物品搬送車が第一分岐レールに進入することや第二分岐レールに進入することを規制することで、物品搬送車同士が同一レールで対面することをより適切に規制し易い。
【産業上の利用可能性】
【００６１】
本開示に係る技術は、走行レールに沿って走行する物品搬送車を備えた物品搬送設備に利用することができる。
【符号の説明】
【００６２】
２：走行レール
２Ａ：レール部
３：物品搬送車
１９：案内補助輪（被案内体）
２０：第二モータ（駆動部）
２３：被検出体
３１：第一走行レール
３２：第二走行レール
３３：迂回用走行レール
３４：第一分岐レール
３５：第一合流レール
３６：第二分岐レール
３７：第二合流レール
５１：第一分岐部
５２：第一合流部
５３：第二分岐部
５４：第二合流部
５５：第一分岐合流部
５６：第二分岐合流部
６６：方向センサ
６６Ａ：第一センサ
６６Ｂ：第二センサ
７１：第一分岐案内レール（第一案内レール）
７３：第二分岐案内レール（第二案内レール）
Ｈ：制御装置
Ｘ１：第一方向
Ｘ２：第二方向
【図１】
2019031137.tif 000003
【図２】
2019031137.tif 000004
【図３】
2019031137.tif 000005
【図４】
2019031137.tif 000006
【図５】
2019031137.tif 000007
【図６】
2019031137.tif 000008
【図７】
2019031137.tif 000009
【図８】
2019031137.tif 000010
【図９】
2019031137.tif 000011
【図１０】
2019031137.tif 000012
【図１１】
2019031137.tif 000013
【図１２】
2019031137.tif 000014
【図１３】
2019031137.tif 000015